(57)【要約】【課題】種々の天井高に容易に対応出来、しかも効率良く短時間に施工出来る内装用間仕切りの施工方法、およびこれに用いる施工部材を提供する。【解決手段】床面Ｆと天井Ｒの間に取付けて室内を仕切る板状のパネル２を用いて室内を区画する内装用間仕切りの施工方法であって、床面Ｆに、略上向きコ形断面を有し、パネル２を支持し得る様構成された、水平方向に延びる地レール４を固定し、これに近接した床面上に、高さ調節可能な様構成された支柱を複数立設し、支柱の高さを調節して支柱を床面と天井との間に固定する。その後、地レール上にパネルを設置してこれを保持し、その後又は同時に、パネルの水平方向両端部を支柱と係合する。更にその後、パネルの上端部を、略下向きコ形断面を有し、パネルの上端部を保持し得る様構成された、水平方向に延びる上部レール５で保持してから、上部レールを支柱と係合する、工程を含む方法とする。【選択図】  図１
2004324368.tif 000002
【特許請求の範囲】
【請求項１】
床面と天井の間に取付けて室内を仕切る板状のパネルを用いて屋内の空間領域を区画する内装用間仕切りを施工するための方法であって、
水平方向両端部が、鉛直方向に延びる支柱に支持され得る間仕切りパネルを設置する施工現場床面に、実質上、上向きコ形断面を有し、前記間仕切りパネルの下端部を支持し得る様構成された、水平方向に延びる地レールを固定し、しかるのち、
前記地レールに近接した前記床面上に、前記床面から前記天井迄の高さと実質的に一致する高さに調節し得る様構成された支柱を複数立設し、その後又はこれと同時に、
前記支柱の高さを前記床面から前記天井迄の高さと実質的に一致する高さに調節して前記支柱を前記床面と前記天井との間において固定したのち、
前記各支柱間における前記地レール上に前記間仕切りパネルの下端部を設置してこれを保持し、その後又はこれと同時に、
前記間仕切りパネルの水平方向両端部を前記支柱と係合し、さらにその後、
前記各支柱間における前記間仕切りパネルの上端部を、実質上、下向きコ形断面を有し、前記間仕切りパネルの上端部を保持し得る様構成された、水平方向に延びる上部レールで保持し、その後又はこれと同時に、
前記上部レールを前記支柱と係合する、
工程を含むことを特徴とする施工現場に内装用間仕切りを施工する為の方法。
【請求項２】
前記支柱として、
前記間仕切りパネルの水平方向両端部が取付けられる支柱本体と、
鉛直方向に移動可能な様前記支柱本体に嵌め合わされた補助柱と、からなり、
前記補助柱と前記支柱本体とを鉛直方向において相対的に変位させることにより、前記支柱の鉛直方向の全長が、前記床面から前記天井迄の高さと実質的に一致する高さに調節可能な様構成された支柱、
を用いて施工することを特徴とする請求項１に記載の方法。
【請求項３】
前記支柱を前記床面と前記天井との間において固定する際、
前記地レールに近接して立設された前記各支柱に対応して、施工現場天井面に設けられ、実質上、下向きコ形断面を有し、その下向き鉛直方向に延びる面の内面に於て、前記間仕切りパネルの表面と実質的に平行な面内にある前記支柱の上端部を保持可能な、水平方向に延びる天井レールを前記天井面に固定してから、
前記支柱の高さを前記床面から前記天井迄の高さと実質的に一致する高さに調節するとともに、
前記天井レールにより、高さが調節される前記支柱を保持する、
工程を更に含むことを特徴とする請求項１又は請求項２に記載の方法。
【請求項４】
前記上部レールを前記支柱と係合したのち、さらに、
前記上部レールに近接して備えられた、前記間仕切りパネルの表面と実質的に垂直な方向に開口した開口部を有し、前記地レール及び前記上部レールと平行して水平方向に延びる補助レールに、前記間仕切りパネルの表面と実質的に垂直な方向に突出する係止部材を、前記開口部を介して取付け、その後、
前記係止部材に索状体を引っ掛け、これを前記天井付近に張り渡し可能にする、工程を含むことを特徴とする請求項１〜３のいずれか１項に記載の方法。
【請求項５】
床面と天井の間に取付けて室内を仕切る板状のパネルを用いて屋内の空間領域を区画する内装用間仕切りであって、
水平方向両端部が、鉛直方向に延びる支柱に支持され得る間仕切りパネルと、
実質上、上向きコ形断面を有し、前記間仕切りパネルの下端部を支持し得る様構成され、施工現場床面に固定され得る、水平方向に延びる地レールと、
前記地レールに近接した前記床面上に設けられ、前記床面から前記天井に向けて鉛直方向に延びる複数本の支柱と、
実質上、下向きコ形断面を有し、前記各支柱間における前記間仕切りパネルの上端部を保持し得る様構成され、前記各支柱に取付けられた、水平方向に延びる上部レールと、からなり、
前記支柱は、
前記間仕切りパネルの水平方向両端部が取付けられる支柱本体と、
鉛直方向に移動可能な様前記支柱本体に嵌め合わされた補助柱と、からなり、
前記補助柱と前記支柱本体とを鉛直方向において相対的に変位させることにより、前記支柱の鉛直方向の全長が、前記床面から前記天井迄の高さと実質的に一致する高さに調節可能な様構成されたことを特徴とする内装用間仕切り。
【請求項６】
前記地レールに近接して立設された前記各支柱に対応して、施工現場天井面に設けられ、実質上、下向きコ形断面を有し、その下向き鉛直方向に延びる面の内面において、前記間仕切りパネルの表面と実質的に平行な面内にある前記支柱の上端部を保持可能な、水平方向に延びる天井レールを前記天井面に固定し、
前記天井レールにより、前記床面から前記天井迄の高さと実質的に一致する高さに調節された前記支柱を保持することを特徴とする請求項５に記載の内装用間仕切り。
【請求項７】
前記上部レールに近接して、前記間仕切りパネルの表面と実質的に垂直な方向に開口した開口部を有し、前記地レール及び前記上部レールと平行して水平方向に延びる補助レールが設けられ、
前記補助レールには、前記間仕切りパネルの表面と実質的に垂直な方向に突出する係止部材が、前記開口部を通して取付可能な様構成されたことを特徴とする請求項５又は請求項６に記載の内装用間仕切り。
【請求項８】
前記間仕切りパネルの表面と実質的に垂直な方向に突出させるブラケットを取付可能なブラケット取付穴を鉛直方向に複数設けてなる、鉛直方向に延びる棚柱を、前記支柱に備えたことを特徴とする請求項５〜７のいずれか１項に記載の内装用間仕切り。
【請求項９】
前記間仕切りパネルは、芯材と、保護材と、表面シートとからなり、前記芯材の少なくともコーナー部分は、前記保護材により覆われていることを特徴とする請求項５〜８のいずれか１項に記載の内装用間仕切り。
【請求項１０】
床面と天井の間に取付けて室内を仕切る板状のパネルを用いて屋内の空間領域を区画する内装用間仕切りを施工する際に使用され、前記パネルの水平方向両端部を保持するための支柱であって、
前記パネルの水平方向両端部が取付けられる支柱本体と、
鉛直方向に移動可能な様前記支柱本体に嵌め合わされた補助柱と、
前記支柱本体における、前記パネルの表面と実質的に垂直な面内に取付けられ、前記パネルの表面と実質的に垂直な方向に突出させるブラケットを取付可能なブラケット取付穴を鉛直方向に複数設けてなる、鉛直方向に延びる棚柱と、
からなり、
前記補助柱と前記支柱本体とを鉛直方向において相対的に変位させることにより、前記支柱の鉛直方向の全長が、前記床面から前記天井迄の高さと実質的に一致する高さに調節可能な様構成されたことを特徴とする支柱。
【請求項１１】
床面と天井の間に取付けて室内を仕切る板状のパネルを用いて屋内の空間領域を区画する内装用間仕切りを施工する際に使用され、前記パネルの上端部に対して取り付けられるパネル保持部材であって、
実質上、下向きコ形断面を有し、前記パネルの上端部を保持し得る様構成された、水平方向に延びる上部レールと、
前記上部レールの上面に備えられ、前記パネルの表面と実質的に垂直な方向に開口した開口部を有し、前記パネルの上端面と平行して水平方向に延びる補助レールと、からなり、
前記補助レールには、前記開口部を通して前記パネルの表面と実質的に垂直な方向に突出する係止部材が、前記開口部を通して取付可能な様構成されたことを特徴とするパネル保持部材。
【発明の詳細な説明】
【０００１】
【発明の属する技術分野】
本発明は、床面と天井の間に取付けて室内を仕切る板状のパネルを用いて屋内の空間領域を区画する内装用間仕切りを施工するための方法及びこれに使用する施工部材、並びに同方法及び同部材を用いて施工された間仕切りに関する。
【０００２】
【従来の技術】
【特許文献１】特開２０００−８７４７９号公報
【特許文献２】特許第１９３７６７６号公報
【０００３】
床面と天井の間に取付けて室内を仕切る板状のパネルを用いて屋内の空間領域（例えば、事務所等のフロア）を区画する間仕切りの手法は、従来より多用されており、現在までに種々の改良がなされている（特許文献１ほか参照）。特に、間仕切りパネルの水平方向両端部を支持する支柱の高さを可変とした間仕切りの構成や、これを用いた間仕切りの施工方法は、従来より知られている（特許文献１，２ほか参照）。
【０００４】
しかしながら、これらの内、構成が簡単なものは、床面と天井に対して十分な押圧力を与えて、支柱を安定に保持することが出来ない。一方、特許文献２に記載された支柱の様に、床面と天井間において安定して保持されるものもあるが、構造複雑であり、必然的に高コストになってしまうほか、施工途中における高さ調節がし難いものであった。従って、従来知られた高性能の支柱或いはこれを用いた間仕切りでは、間仕切りを解体してこれを再び別の場所に施工するには、作業時間が掛かる上、煩雑であるという問題があった。
【０００５】
また、支柱に沿った形でブラケット取付穴が設けられ、この穴にアーム状のブラケットを差込めば間仕切りパネルの表面付近に棚等が設置可能に構成された間仕切りの例もある（特許文献１参照）。
しかしながら、この様にして設置した棚等に重量物を載置すれば、支柱の水平方向に大きな荷重が掛かってしまうところ、従来知られた支柱や間仕切り或いはこれらの施工方法には、その様な状況を想定して構成された例は無かった。そうすると、重量物の負荷に耐えられずに間仕切り全体が倒壊する虞があるため、こうしたブラケット取付穴の様な構成を安心して活用することが出来なかった。
【０００６】
【発明が解決しようとする課題】
この発明の目的は、かかる従来技術の実情に鑑み、種々の天井高に容易に対応出来る一方、床と天井間に支柱を安定して保持出来、しかも効率良く短時間に施工出来る内装用間仕切りの施工方法を提供することにある。
又本発明は、基本的には現物合わせで製作、施工していた従来の間仕切りに代えて、各施工部材を工場での大量生産に適した規格品とした上で、これを種々の天井高に対応可能、かつ、繰返し使用に対応可能な様改良して、安価且つ手軽に施工でき、しかも解体後の再度の組立が容易でレイアウト変更がやり易い内装用間仕切り及びこれに使用する各施工部材を提供することを課題とするものである。
【０００７】
さらに本発明は、施工した間仕切りを利用して、天井の飾りを施したり、棚を設置したりすることが可能な内装用間仕切りを提供すると共に、そのようにして設置した棚等から伝わる荷重にも十分耐え得る間仕切りの施工方法及びこれに使用する施工部材並びに同方法及び同部材を用いて施工された間仕切りを提供することを課題とするものである。
【０００８】
【課題を解決するための手段】
上記課題を解決すべく種々検討を行った結果、本発明者は、床面と天井の間に取付けて室内を仕切る板状のパネルを用いて屋内の空間領域を区画する内装用間仕切りを施工するための方法であって、水平方向両端部が、鉛直方向に延びる支柱に支持され得る間仕切りパネルを設置する施工現場床面に、実質上、上向きコ形断面を有し、前記間仕切りパネルの下端部を支持し得る様構成された、水平方向に延びる地レールを固定し、しかる後、前記地レールに近接した前記床面上に、前記床面から前記天井迄の高さと実質的に一致する高さに調節し得る様構成された支柱を複数立設し、その後又はこれと同時に、前記支柱の高さを前記床面から前記天井迄の高さと実質的に一致する高さに調節して前記支柱を前記床面と前記天井との間において固定したのち、前記各支柱間における前記地レール上に前記間仕切りパネルの下端部を設置してこれを保持し、その後又はこれと同時に、前記間仕切りパネルの水平方向両端部を前記支柱と係合し、さらにそののち、前記各支柱間における前記間仕切りパネルの上端部を、実質上、下向きコ形断面を有し、前記間仕切りパネルの上端部を保持し得る様構成された、水平方向に延びる上部レールで保持し、その後又はこれと同時に、前記上部レールを前記支柱と係合する、工程を含むことを特徴とする、施工現場に内装用間仕切りを施工するための方法とすることにより上記課題を解決可能なことを見出し、本発明を完成した。
【０００９】
又本発明は、上記の方法において更に、前記支柱を前記床面と前記天井との間において固定する際、前記地レールに近接して立設された前記各支柱に対応して、施工現場天井面に設けられ、実質上、下向きコ形断面を有し、その下向き鉛直方向に延びる面の内面において、前記間仕切りパネルの表面と実質的に平行な面内にある前記支柱の上端部を保持可能な、水平方向に延びる天井レールを前記天井面に固定してから、前記支柱の高さを前記床面から前記天井迄の高さと実質的に一致する高さに調節するとともに、前記天井レールにより、高さが調節される前記支柱を保持する、工程を更に含むことを特徴とする。
【００１０】
さらに本発明は、上記の方法において、前記上部レールを前記支柱と係合したのち、さらに、前記上部レールに近接して備えられた、前記間仕切りパネルの表面と実質的に垂直な方向に開口した開口部を有し、前記地レール及び前記上部レールと平行して水平方向に延びる補助レールに、前記間仕切りパネルの表面と実質的に垂直な方向に突出する係止部材を、前記開口部を介して取付け、その後、前記係止部材に索状体を引っ掛け、これを前記天井付近に張り渡し可能にする、工程を含むことを特徴とするものである。
【００１１】
その他本発明は、上記施工方法を実施する際に用いられる内装用間仕切りであって、水平方向両端部が、鉛直方向に延びる支柱に支持され得る間仕切りパネルと、実質上、上向きコ形断面を有し、前記間仕切りパネルの下端部を支持し得る様構成され、施工現場床面に固定され得る、水平方向に延びる地レールと、前記地レールに近接した前記床面上に設けられ、前記床面から前記天井に向けて鉛直方向に延びる複数本の支柱と、実質上、下向きコ形断面を有し、前記各支柱間における前記間仕切りパネルの上端部を保持し得る様構成され、前記各支柱に取付けられた、水平方向に延びる上部レールと、からなり、前記支柱は、前記間仕切りパネルの水平方向両端部が取付けられる支柱本体と、鉛直方向に移動可能な様前記支柱本体に嵌め合わされた補助柱とからなり、前記補助柱と前記支柱本体とを鉛直方向において相対的に変位させることにより、前記支柱の鉛直方向の全長が、前記床面から前記天井迄の高さと実質的に一致する高さに調節可能な様構成されたこと、等を特徴とする。
【００１２】
本発明の施工方法及びこれに使用する施工部材並びに同方法及び同部材を用いて施工された間仕切りを用いれば、種々の天井高に容易に対応出来、しかも間仕切りを効率良く短時間に施工出来る。さらに施工した間仕切りを利用して、天井の飾りを施したり、棚を設置したりすることも可能である。
そのほか、設置した棚等から伝わる荷重にも十分耐え得る様構成出来るので、安心して間仕切りパネルの表面に棚等を設置して、間仕切りが施工された空間を有効に活用することができる。
以下、添付図面に基づき、本発明をより詳細に説明する。
【００１３】
【実施例】
次に、本発明の一実施例を図１〜図１１に基づき説明する。
図１及び図２は、本発明の内装用間仕切りの施工例を示す図であり、図３は、各構成要素（施工部材）の分解構造図、図４及び図５は、図１に示した内装用間仕切りの横断面図及び支柱付近の縦断面図である。図６〜図１１は、本発明の内装用間仕切りを構成する各施工部材を示す図である。
尚、図１，２，３（ａ）又は５（ｂ）に示す様に、天井面Ｒには、支柱３に対して間仕切りパネル２の表面と実質的に垂直な方向に力が加わる場合に対応して、支柱３上端の一部を保持可能な天井レール１０が設置され得る。これについては、実施例２として後程説明する。
【００１４】
実施例１
［構成］
図１及び図２に示す様に、本実施例の内装用間仕切り１は、床面Ｆ上に設置され、間仕切りパネル２の下端部を受ける地レール４と、床面Ｆと天井面Ｒの間に立設される支柱３と、水平方向両端部が支柱に支持された間仕切りパネル２と、間仕切りパネル２の上端部分に取付けられ、支柱３に係合される上部レール５とからなるものである。床面Ｆ上に設置された地レール４は、上方に開口した上向きコ形断面を有する部材であり、床面に沿って、水平方向に帯状に延びている。一方、上部レール５は、下方に開口した下向きコ形断面を有する部材であり、間仕切りパネル２の上端部分に沿って、水平方向に帯状に延びている。間仕切りの終端部分にある支柱３には、エンドカバーＥが取付けられる。
また、各部材の係合関係を示すべく、図１に示した施工例の分解構造図を図３に、横断面図を図４に、支柱３付近の縦断面図（一部省略）を図５に示す。
【００１５】
以下、本実施例の内装用間仕切りを構成する各施工部材につき、順を追って説明する。
まず、図６に示す支柱３の構成に付き説明する。
支柱３は、少なくとも支柱本体３１及び補助柱３２とからなる。支柱本体３１の下端部は、地レール４に隣接した床面Ｆ上に載置される（図５参照）。本実施例ではまず、床固定金具３４が床面Ｆ上に設けられ、その上へ嵌める様にして、支柱本体３１の下端部が床面Ｆ上に載置される。又、補助柱３２を天井面Ｒに当接するに当たっては、アジャスター３３を介している。本実施例の支柱３は、間仕切りパネル２の水平方向両端部が取付けられる支柱本体３１と、これに鉛直方向に移動可能な様嵌め合わされた補助柱３２とからなる。支柱本体３１と、補助柱３２とは、補助柱３２側に設けられた長孔３６を介してボルト止めされており、補助柱３２と支柱本体３１とを鉛直方向において相対的に変位させることにより、支柱３の鉛直方向の全長が、床面Ｆから天井Ｒ迄の高さと実質的に一致する高さに調節可能な様構成されている。アジャスター３３は、補助柱３２の上端面に取付けられた軸回転可能な部材であり、支柱上端を、後述する天井レール１０の内部に収める際に使用される。この他、高さの微調整を行う際にも使用される。本実施例の支柱の場合、補助柱３２及び長孔３６の鉛直方向長さを適宜調節すれば、約２，５００〜３，８００ｍｍの範囲の天井高に対応出来る。
【００１６】
図７は、図４の支柱３の付近を拡大した図である、又別の例を図８に示す。
図７に示す様に、本実施例の間仕切りパネル２の水平方向両端部は、パネル押さえ１２を用いて支柱本体３１に支持されるが、このとき、支柱本体３１における、間仕切りパネル２の表面と実質的に平行な面であって、間仕切りパネル２が係合される面（Ｊ面又はＬ面）には、空隙Ｃが設けられる。この空隙Ｃは、支柱本体３１におけるＪ面又はＬ面に取付けられた２枚の間仕切りパネル２の間、又は間仕切りパネル２とエンドカバーＥとの間に出来る、鉛直方向に延びる領域を言う。
この空隙Ｃに対して、本実施例では、間仕切りパネル２の表面と実質的に垂直な方向に突出させるブラケットＡを取付可能なブラケット取付穴１７を鉛直方向に複数設けてなる、鉛直方向に延びる棚柱９（図７（ａ）参照）、或いは、この空隙Ｃを塞ぐカバー８が取付けられる（図７（ｂ）参照）。本実施例の場合、パネル押さえ１２は、支柱３を横断面視したこの図７において、間仕切りパネル２の表面と実質的に垂直な方向に開口している凹部２２と、上記凹部２２の間仕切りパネル２の表面と実質的に垂直な方向に延びる突部１９の先端から、間仕切りパネル２の表面と実質的に平行な方向に延びるパネル受け部２０とからなるが、棚柱９又はカバー８は、凹部２２の内側において、相対する突部１９に挟まれる形で備えられる。
このような構成を採ることにより、間仕切りパネル２の表面に棚ＳやストッカーボックスＢ等を設置して、空間の有効活用を図ることが可能である一方、その必要がなければ支柱本体３１上にある間仕切りパネル２の隙間Ｃを目立たなくすることもできる。
【００１７】
次に、図９に、本実施例で使用した間仕切りパネル２の分解構造図を、図１０にその中央横断面図を示す。図１０（ａ）は組み立てられた状態、（ｂ）は保護材単体の断面形状を示している。本実施例の間仕切りパネル２は、芯材１４と、保護材１５と、表面シート１６とからなる。
本実施例の内装用間仕切り１は、様々な現場に適応可能で、しかも解体した後も何度でも繰返し組み立てて、別の場所で使用可能とするものである。その為、運搬途中等で間仕切りパネル２が損傷するのを防止するべく、少なくとも芯材１４のコーナー部分は、保護されていることが望ましい。本実施例では、芯材１４の外周部分は全て、保護材１５で包囲されている。尚、芯材の構成材料としては種々のものを選択し得るが、本実施例では芯材１４は幅９００ｍｍ×高さ２，４００ｍｍの石膏ボードからなる。又保護材１５は、押出成形された樹脂材からなる。表面シート１６は、表面仕上げが施された化粧クロス又は紙であり、芯材１４に貼り合わされるものである。
【００１８】
また、図１１に、図２のＸ部詳細図を示し、上記した間仕切りパネル２の上端部を保持するパネル保持部材１８その他の構成に付き説明する。
パネル保持部材１８は、水平方向に延びる上部レール５と、その上面に備えられて水平方向に延びる補助レール６とからなり、本実施例ではこれらは一体に形成されている。
上部レール５は、各支柱３間における間仕切りパネル２の上端部を保持し得る様構成された、実質上、下向きコ形断面を有する、水平方向に延びる部材である。本実施例では、鉛直方向に延びる間仕切りパネル２の上端部を、上部レール５で保持し、その後又はこれと同時に、上部レール５を支柱３に係合している。
上部レール５の上面に形成された補助レール６は、間仕切りパネル２の表面と実質的に垂直な方向に開口した開口部７を有している。この開口部７を通して、補助レール６には、間仕切りパネル２の表面と実質的に垂直な方向に突出する係止部材１１を装着することが出来る様になっている。尚本実施例では、補助レール６は、間仕切りパネル２の表面と実質的に垂直な方向に開口した、断面コ字状の部材として形成されている。
この様に、補助レール６には、係止部材１１を取付けることが出来るので、例えば或る空間内に、本実施例に係る間仕切りを１対、相対して設置し、係止部材１１を用いてそれらの間にワイヤー等の索状体Ｗを架け渡しておけば、それらにシート状、或いは幕状の部材Ｖを取付けて天井Ｒの装飾を行うこと等が容易となる。また、補助レール６には、係止部材１１の他、ハンガー等も掛けることが出来るので、間仕切りされた空間を効率的に利用することが可能となる。
【００１９】
［施工方法］
次に、本実施例の内装用間仕切り１の施工の手順を、図３，５又は６を参照しつつ説明する。
まず、水平方向に延びる地レール４を、間仕切りパネル２を設置しようとする向きに合わせて固定する。このときの、地レール４と床面Ｆとの固定は、適宜鋲や木ねじ等により行う。
しかる後、床面Ｆ上に、地レール４に沿って支柱３を複数立設する。本実施例では、予め取付けた床固定金具３４の上に嵌める様なかたちで、支柱３を床面Ｆに設置している。次に、支柱３の補助柱３２を鉛直方向で昇降させ、支柱本体３１と相対的に変位させることにより、支柱３の鉛直方向の全長を、床面Ｆから天井Ｒ迄の高さと実質的に一致する高さに調節する。この様にして、支柱３を床面Ｆと天井Ｒとの間において固定する。
そののち、各支柱３間における地レール４上に間仕切りパネル２の下端部を設置してこれを保持する。その後又はこれと同時に、間仕切りパネルの水平方向両端部を支柱３の支柱本体３１と係合する。
さらにその後、各支柱３間における間仕切りパネル２の上端部を、実質上、下向きコ形断面を有し、間仕切りパネル２の上端部を保持し得る様構成された、水平方向に延びる上部レール５で保持し、その後又はこれと同時に、上部レール５を支柱３と係合する。尚、上記に従って施工した際、間仕切りパネル２と各支柱３との間に隙間が出来る様で有れば、両者の間に調整板２１を挟んでおく（図５）。
本実施例では、上部レール５は、パネル保持部材１８として、補助レール６と一体形成された部材である。従って、補助レール６に設けられた係止部材１１に種々のものを吊り下げたりして、空間の有効利用を図ることも出来る。
上記の手順により、施工現場に内装用間仕切りを効率よく施工することが出来る。
【００２０】
実施例２
次に、本発明の別の実施例につき、図１，２，３（ａ）又は５（ｂ）に基づき説明する。
上記実施例１によれば、支柱３には棚柱９が取付可能になっている。従って、間仕切りパネル２の表面に対して実質的に垂直な方向に突出させたブラケットＡを利用して、間仕切りパネル２の表面付近に棚Ｓ等を設け、その荷重をブラケットＡ及び棚柱９を介して支柱３に担わせることができる。
本実施例では、その様な利用態様を想定し、間仕切りパネル２の配列方向に順次立設される各支柱３に対応した形で天井面Ｆに備えられる支柱保持部材（天井レール）１０により、支柱３上端の一部を保持し、ブラケットＡから伝わる荷重によって支柱３に対し間仕切りパネル２の表面と実質的に垂直な方向に大きな荷重が加えられても、支柱或いは間仕切りが倒壊しない様構成する。
【００２１】
図１又は図２に示す通り、天井レール１０は、水平方向に延びる帯状をなす部材であって、実質上、下向きコ形断面を有しており、その下向き鉛直方向に延びる面２３の内面において、間仕切りパネル２の表面と平行した面（Ｊ面又はＬ面）内にある支柱３の上端部を保持出来る様になっている（図３（ａ），図５（ｂ）参照）。
ここで、本実施例の天井レール１０では、天井レール１０の鉛直下方に延びる側面２３の先端部分から、さらに水平方向に鍔部２４が延びている。
【００２２】
この天井レール１０は、支柱３の高さが床面Ｆから天井Ｒ迄の高さと実質的に一致する高さに調節されるより先に、施工現場天井面Ｒに設けられる。
支柱３の高さを床面Ｆから天井Ｒ迄の高さと実質的に一致する高さに調節して支柱３を床面Ｆと天井Ｒとの間において固定する際、同時に、支柱３が天井レール１０により保持される様にする。ここで、本実施例の天井レール１０には鍔部２４が設けられているため、アジャスター３３の長方形の上端部３５を回転させる等して、上端部３５を天井レール１０の内部に収めて、間仕切りパネル２の表面と実質的に平行な面（Ｊ面又はＬ面）内にある支柱３の上端部を、天井レール１０の下向き鉛直方向に延びる側面の内面において保持する様にする。
支柱３を天井レール１０により保持し終えてからの施工の流れは、上述した実施例１の場合と同様である。
【００２３】
尚、本実施例では、床面Ｆ上への支柱３の設置は、床固定金具３４を介して行っているが、これを省略しても構わない。又補助レール６は、間仕切りパネル２の表面と実質的に垂直な方向に開口した開口部７を適宜有していれば足り、必ずしも、本実施例の様に開口部分が連続してある断面コ字状の部材として形成する必要はない。
本実施例では、支柱３に間仕切りパネル２を取付ける際、図４又は図７に示される様なパネル押さえ１２を使用しているが、支柱３に間仕切りパネル２を取付ける態様はこの例に限定されず、例えば図８（ａ）に示す様な横断面形状の、１３ａ及び１３ｂからなる受具１３を使用しても良い。このとき、カバー８は、例えば図８（ｂ）に示す様な横断面形状を成していれば良い。尚、受具１３の内、１３ｂは、カバー８と同様な樹脂等で、１３ａはバネ鋼等で形成しても良い。
その他、間仕切りパネル２は、図１又は図４に示すように、支柱３のＪ面及びＬ面の双方に取付けられても良いし、或いはいずれか片面にのみ取付けられても良い。
図９又は１０に示した間仕切りパネル２の芯材１４を保護するための保護材１５は、樹脂からなるものに限定されず、アルミの押出材等であっても良い。
【００２４】
【発明の効果】
以上説明したように、本発明の内装用間仕切りの施工方法およびこれに使用する施工部材、ならびに同方法及び同部材を用いて施工された間仕切りを使用すれば、種々の天井高に容易に対応出来、しかも間仕切りを効率良く短時間に施工出来る。
また、本発明の内装用間仕切りを構成する各施工部材は、工場での大量生産に適した規格品とすることが出来、そのため、安価で提供することが可能である。また、間仕切りパネルをはじめとして、各施工部材は繰返し使用に対応可能な様構成されるので、間仕切りレイアウトを変更する場合や、別の場所で改めて施工する場合にも、無駄な廃棄物を発生させない。
【００２５】
さらに本発明は、施工した間仕切りを利用して、天井の飾りを施したり、棚を設置したりすることが可能であるほか、そのようにして設置した棚等から伝わる荷重にも十分耐え得る様構成される。従って、安心して間仕切りパネルの表面に棚等を設置出来、間仕切りが施工された空間を十分、有効に活用することが可能になる。
【図面の簡単な説明】
【図１】本発明の内装用間仕切りの施工例を示す図である。
【図２】本発明の内装用間仕切りの施工例を示す図である。
【図３】図１に示した施工例の分解構造図である。
【図４】図１に示した施工例の横断面図である。
【図５】図１に示した施工例の支柱付近の縦断面図である。
【図６】支柱部分の分解構造図である。
【図７】目地部分を拡大した図である。
【図８】目地部分に係る別の例を示す図である。
【図９】間仕切りパネルの分解構造図である。
【図１０】間仕切りパネルの中央横断面図である。
【図１１】図２のＸ部詳細図である。
【符号の説明】
Ａ  ブラケット
Ｂ  ストッカーボックス
Ｃ  空隙
Ｅ  エンドカバー
Ｆ  床
Ｒ  天井
Ｓ  棚
Ｗ  索状体
Ｖ  幕状部材
１  内装用間仕切り
２  間仕切りパネル
３  支柱
４  地レール
５  上部レール
６  補助レール
７  開口部
８  カバー
９  棚柱
１０  天井レール
１１  係止部材
１２  パネル押さえ
１３  受具
１４  芯材
１５  保護材
１６  表面シート
１７  ブラケット取付穴
１８  パネル保持部材
１９  突部
２０  パネル受け部
２１  調整板
２２  凹部
２３  天井レール側面
２４  鍔部
３１  支柱本体
３２  補助柱
３３  アジャスター
３４  床固定金具
３５  上端部
３６  長孔
【図１】
2004324368.tif 000003
【図２】
2004324368.tif 000004
【図３】
2004324368.tif 000005
【図４】
2004324368.tif 000006
【図５】
2004324368.tif 000007
【図６】
2004324368.tif 000008
【図７】
2004324368.tif 000009
【図８】
2004324368.tif 000010
【図９】
2004324368.tif 000011
【図１０】
2004324368.tif 000012
【図１１】
2004324368.tif 000013